(57)【要約】【課題】貼り付け部材により使用者の皮膚表面に貼り付けて用いる家庭用永久磁石磁気治療器に対して使用することで、使用者の皮膚表面側以外への磁気を十分に遮蔽することが可能となる家庭用永久磁石磁気治療器用磁気遮蔽カバーを提供する。【解決手段】絆創膏３００により使用者の皮膚Ｈ表面に貼り付けて用いる家庭用永久磁石磁気治療器２００に対して絆創膏３００を介して被せて使用するための家庭用永久磁石磁気治療器用磁気遮蔽カバーであって、軟磁性金属材料からなり、かつ、家庭用永久磁石磁気治療器の外面形状に対応する内面形状を有する凹部が形成されている家庭用永久磁石磁気治療器用磁気遮蔽カバー１００。【選択図】図１
0003158401.tif 000002
【実用新案登録請求の範囲】
【請求項１】
貼り付け部材により使用者の皮膚表面に貼り付けて用いる家庭用永久磁石磁気治療器に対して前記貼り付け部材を介して被せて使用するための家庭用永久磁石磁気治療器用磁気遮蔽カバーであって、
軟磁性金属材料からなり、かつ、
前記家庭用永久磁石磁気治療器の外面形状に対応する内面形状を有する凹部が形成されていることを特徴とする家庭用永久磁石磁気治療器用磁気遮蔽カバー。
【請求項２】
請求項１に記載の家庭用永久磁石磁気治療器用磁気遮蔽カバーにおいて、
前記軟磁性金属材料は、パーメンジュール、パーマロイ類、鉄、鉄−ケイ素系合金又は磁性鋼からなることを特徴とする家庭用永久磁石磁気治療器用磁気遮蔽カバー。
【請求項３】
請求項１又は２に記載の家庭用永久磁石磁気治療器用磁気遮蔽カバーにおいて、
前記家庭用永久磁石磁気治療器用磁気遮蔽カバーの少なくとも外表面には、金、白金、ロジウム又はパラジウムを主成分とする保護めっき層が形成されていることを特徴とする家庭用永久磁石磁気治療器用磁気遮蔽カバー。
【請求項４】
請求項３に記載の家庭用永久磁石磁気治療器用磁気遮蔽カバーにおいて、
前記保護めっき層は、前記家庭用永久磁石磁気治療器用磁気遮蔽カバーの表面全体に形成されていることを特徴とする家庭用永久磁石磁気治療器用磁気遮蔽カバー。
【請求項５】
請求項３又は４に記載の家庭用永久磁石磁気治療器用磁気遮蔽カバーにおいて、
少なくとも前記保護めっき層の表面には、含侵による封孔処理が施されていることを特徴とする家庭用永久磁石磁気治療器用磁気遮蔽カバー。
【請求項６】
請求項１〜５のいずれかに記載の家庭用永久磁石磁気治療器用磁気遮蔽カバーにおいて、
前記家庭用永久磁石磁気治療器用磁気遮蔽カバーにおける天板の厚さは、０．１ｍｍ〜１．０ｍｍであることを特徴とする家庭用永久磁石磁気治療器用磁気遮蔽カバー。
【請求項７】
請求項１〜６のいずれかに記載の家庭用永久磁石磁気治療器用磁気遮蔽カバーにおいて、
前記家庭用永久磁石磁気治療器用磁気遮蔽カバーにおける側板の厚さは、０．１ｍｍ〜１．０ｍｍであることを特徴とする家庭用永久磁石磁気治療器用磁気遮蔽カバー。
【請求項８】
請求項１〜７のいずれかに記載の家庭用永久磁石磁気治療器用磁気遮蔽カバーにおいて、
前記家庭用永久磁石磁気治療器用磁気遮蔽カバーにおける前記凹部の深さ寸法は、前記家庭用永久磁石磁気治療器用磁気遮蔽カバーを被せる対象となる前記家庭用永久磁石磁気治療器の厚さ寸法の２分の１よりも大きく、かつ、前記家庭用永久磁石磁気治療器の厚さ寸法よりも小さいことを特徴とする家庭用永久磁石磁気治療器用磁気遮蔽カバー。
【請求項９】
請求項１〜８のいずれかに記載の家庭用永久磁石磁気治療器用磁気遮蔽カバーにおいて、
前記家庭用永久磁石磁気治療器は、円盤形状を有し、
前記家庭用永久磁石磁気治療器用磁気遮蔽カバーにおける前記凹部は、略円柱形状を有することを特徴とする家庭用永久磁石磁気治療器。
【請求項１０】
請求項９に記載の家庭用永久磁石磁気治療器用磁気遮蔽カバーにおいて、
前記家庭用永久磁石磁気治療器用磁気遮蔽カバーにおける前記凹部の内径は、前記家庭用永久磁石磁気治療器用磁気遮蔽カバーを被せる対象となる前記家庭用永久磁石磁気治療器の直径より少なくとも２０μｍ以上大きく、かつ、前記家庭用永久磁石磁気治療器の直径に前記貼り付け部材の厚さ寸法の２倍を加えた寸法よりも小さいことを特徴とする家庭用永久磁石磁気治療器用磁気遮蔽カバー。
【請求項１１】
請求項１〜１０のいずれかに記載の家庭用永久磁石磁気治療器用磁気遮蔽カバーにおいて、
前記凹部の縁及び／又は側板外面における使用者の皮膚表面側の縁には、面取り加工及び／又は丸め加工が施されていることを特徴とする家庭用永久磁石磁気治療器用磁気遮蔽カバー。
【請求項１２】
請求項１〜１１のいずれかに記載の家庭用永久磁石磁気治療器用磁気遮蔽カバーにおいて、
前記家庭用永久磁石磁気治療器用磁気遮蔽カバーにおける天板は、中心部付近が最も厚く、辺縁部に向かうにつれて徐々に薄くなる形状であることを特徴とする家庭用永久磁石磁気治療器用磁気遮蔽カバー。
【請求項１３】
請求項１〜１１のいずれかに記載の家庭用永久磁石磁気治療器用磁気遮蔽カバーにおいて、
前記家庭用永久磁石磁気治療器用磁気遮蔽カバーにおける天板は、中心部付近が最も薄く、辺縁部に向かうにつれて徐々に厚くなる形状であることを特徴とする家庭用永久磁石磁気治療器用磁気遮蔽カバー。
【請求項１４】
請求項１〜１３のいずれかに記載の家庭用永久磁石磁気治療器用磁気遮蔽カバーにおいて、
前記家庭用永久磁石磁気治療器用磁気遮蔽カバーの少なくとも外表面には、鏡面仕上げ加工が施されていることを特徴とする家庭用永久磁石磁気治療器用磁気遮蔽カバー。
【請求項１５】
請求項１〜１４のいずれかに記載の家庭用永久磁石磁気治療器用磁気遮蔽カバーにおいて、
前記家庭用永久磁石磁気治療器用磁気遮蔽カバーの外表面における角部には、面取り加工、丸め加工又はその両方が施されていることを特徴とする家庭用永久磁石磁気治療器用磁気遮蔽カバー。
【請求項１６】
請求項１〜１５のいずれかに記載の家庭用永久磁石磁気治療器用磁気遮蔽カバーにおいて、
前記家庭用永久磁石磁気治療器用磁気遮蔽カバーを被せる対象となる前記家庭用永久磁石磁気治療器は、内部に永久磁石部収納部を有し、厚さが０．５ｍｍ〜１．５５ｍｍである円盤状の保護ケース部と、前記永久磁石部収納部に収納され、厚さが０．３ｍｍ〜１．２ｍｍであるネオジム−鉄−ホウ素系合金焼結磁石からなる永久磁石部とを備える家庭用永久磁石磁気治療器であることを特徴とする家庭用永久磁石磁気治療器用磁気遮蔽カバー。
【請求項１７】
請求項１〜１５のいずれかに記載の家庭用永久磁石磁気治療器用磁気遮蔽カバーにおいて、
前記家庭用永久磁石磁気治療器用磁気遮蔽カバーを被せる対象となる前記家庭用永久磁石磁気治療器は、円盤状の永久磁石部と、前記永久磁石部の外側に形成され、金、白金、ロジウム又はパラジウムを主成分とする保護コーティング層とを備え、前記永久磁石部は、厚さが０．３ｍｍ〜０．９ｍｍのネオジム−鉄−ホウ素系合金焼結磁石からなる家庭用永久磁石磁気治療器であることを特徴とする家庭用永久磁石磁気治療器用磁気遮蔽カバー。
【考案の詳細な説明】
【技術分野】
【０００１】
本考案は、家庭用永久磁石磁気治療器用カバーに関する。
【背景技術】
【０００２】
従来、磁気治療効果を目的として、家庭用永久磁石磁気治療器を絆創膏、パッチ、シール等（以下、貼り付け部材と記載する。）により使用者の皮膚表面に貼り付けて用いる貼り付け部材付き家庭用永久磁石磁気治療器が広く知られている。
このような貼り付け部材付き家庭用永久磁石磁気治療器においては、使用者の皮膚表面側以外へも磁気が広がり、家庭用永久磁石磁気治療器の磁気の影響が外部の物体等に及ぶことがある。特に、磁気を利用する記録媒体に対する影響は大きく、これらの記録媒体、ひいては記録媒体を使用する製品（例えば、キャッシュカード等）を使用不可能にしてしまう可能性があるという問題がある。
【０００３】
従来、このような問題を解決するための貼り付け部材付き家庭用永久磁石磁気治療器が知られている（例えば、特許文献１又は２参照。）。
【０００４】
図８は、このうち特許文献１に記載されている貼り付け部材付き家庭用永久磁石磁気治療器８００を説明するために示す断面図である。
なお、図８中において符号Ｈで示すのは使用者の皮膚であり、他の図においても同様とする。
【０００５】
貼り付け部材付き家庭用永久磁石磁気治療器８００は、図８に示すように、家庭用永久磁石磁気治療器８１０と、絆創膏８４０とを備える。
家庭用永久磁石磁気治療器８１０は、永久磁石８２２及びシリコンゴム８２４を有する永久磁石部８２０と、永久磁石部８２０における使用者の皮膚Ｈ表面側以外の面に形成されている磁性コーティング層８３０とを有する。
磁性コーティング層８３０は、めっき法で形成された鉄−コバルト合金の層である。
【０００６】
特許文献１に記載されている貼り付け部材付き家庭用永久磁石磁気治療器８００によれば、永久磁石部８２０における使用者の皮膚Ｈ表面側以外の面には、磁性コーティング層８３０が形成されているため、当該磁性コーティング層８３０により磁気をある程度遮蔽し、外部の物体等への磁気の影響を軽減することが可能となる。
【０００７】
図９は、特許文献２に記載されている貼り付け部材付き家庭用永久磁石磁気治療器９００を説明するために示す断面図である。
貼り付け部材付き家庭用永久磁石磁気治療器９００は、図９に示すように、永久磁石からなる家庭用永久磁石磁気治療器９１０と、絆創膏９２０と、絆創膏９２０の外側に配置されている磁気シールド材９３０とを備える。
磁気シールド材９３０は、鉄−アルミニウム−ケイ素合金からなる磁性体の粉末を、ポリ塩化ビニルを用いてシート状に成形したものである。磁気シールド材９３０には、磁性体の粉末が８０重量％の割合で含まれている。
【０００８】
特許文献２に記載されている貼り付け部材付き家庭用永久磁石磁気治療器９００によれば、家庭用永久磁石磁気治療器９１０から見て、使用者の皮膚Ｈ表面側とは反対側に磁気シールド材９３０が配置されているため、当該磁気シールド材９３０により磁気をある程度遮蔽し、特許文献１に記載されている貼り付け部材付き家庭用永久磁石磁気治療器と同様に、外部の物体等への磁気の影響を軽減することが可能となる。
【先行技術文献】
【特許文献】
【０００９】
【特許文献１】特開平５−４９７０６号公報
【特許文献２】特開平７−２８９６５２号公報
【考案の概要】
【考案が解決しようとする課題】
【００１０】
しかしながら、特許文献１に記載されている貼り付け部材付き家庭用永久磁気治療器８００においては、磁性コーティング層８３０がめっき法で形成されているため、磁性コーティング層８３０の厚さが十分ではない上に、磁性コーティング層８３０が完全には合金化せず、その結果、磁気を十分に遮蔽することができないという問題がある。なお、熱処理を行うことにより磁性コーティング層を完全に合金化する方法も存在するが、この場合、永久磁石と磁性コーティング層との間において望まない合金化が発生し、永久磁石の磁気特性が劣化してしまうため、好ましくない。
【００１１】
また、特許文献２に記載されている貼り付け部材付き家庭用永久磁気治療器９００においては、磁気シールド材９３０は磁性体の粉末を樹脂を用いて成形したものであるため、磁気シールド材９３０における磁性材料の密度が低く、その結果、やはり磁気を十分に遮蔽することができないという問題がある。
【００１２】
そこで、本考案は、上記の各問題を解決するためになされたもので、貼り付け部材により使用者の皮膚表面に貼り付けて用いる家庭用永久磁石磁気治療器に対して使用することで、使用者の皮膚表面側以外への磁気を十分に遮蔽することが可能となる家庭用永久磁石磁気治療器用磁気遮蔽カバーを提供することを目的とする。
【課題を解決するための手段】
【００１３】
［１］本考案の家庭用永久磁石磁気治療器用磁気遮蔽カバーは、貼り付け部材により使用者の皮膚表面に貼り付けて用いる家庭用永久磁石磁気治療器に対して前記貼り付け部材を介して被せて使用するための家庭用永久磁石磁気治療器用磁気遮蔽カバーであって、軟磁性金属材料からなり、かつ、前記家庭用永久磁石磁気治療器の外面形状に対応する内面形状を有する凹部が形成されていることを特徴とする。
【００１４】
このため、本考案の家庭用永久磁石磁気治療器用磁気遮蔽カバーによれば、軟磁性金属材料そのものを用いて家庭用永久磁石磁気治療器用磁気遮蔽カバーとしているため、特許文献１に記載されている貼り付け部材付き家庭用永久磁石磁気治療器８００及び特許文献２に記載されている貼り付け部材付き家庭用永久磁石磁気治療器９００と比較して、使用者の皮膚表面側以外への磁気を十分に遮蔽することが可能となる。
【００１５】
また、本考案の家庭用永久磁石磁気治療器用磁気遮蔽カバーによれば、いわゆるバックヨーク効果（使用者の皮膚表面側以外への磁気が遮蔽された結果、使用者の皮膚表面側への磁気が強まる効果）が得られるようになり、その結果、家庭用永久磁石磁気治療器の磁気治療効果を高めることが可能となる。
【００１６】
また、本考案の家庭用永久磁石磁気治療器用磁気遮蔽カバーによれば、家庭用永久磁石磁気治療器とは別の家庭用永久磁石磁気治療器用磁気遮蔽カバーを用いることにより、家庭用永久磁石磁気治療器に特段の加工をすることなく、上記した効果を得ることが可能となる。
【００１７】
ところで、特許文献１に記載されている貼り付け部材付き家庭用永久磁石磁気治療器８００においては、家庭用永久磁石磁気治療器８１０が磁性コーティング層８３０を有するため、家庭用永久磁石磁気治療器８１０の裏表を間違えて、磁性コーティング層８３０が形成されている側を使用者の皮膚表面側として使用してしまったときには、使用者の皮膚表面側以外への磁気を遮蔽することができないばかりか、所定の磁気治療効果を得ることもできなくなってしまう。これに対して、本考案の家庭用永久磁石磁気治療器用磁気遮蔽カバーによれば、家庭用永久磁石磁気治療器用磁気遮蔽カバーが家庭用永久磁石磁気治療器とは別体であるため、家庭用永久磁石磁気治療器の裏表に関係なく、使用者の皮膚表面側以外への磁気を十分に遮蔽し、かつ、所定の磁気治療効果を得ることが可能となる。
【００１８】
［２］本考案の家庭用永久磁石磁気治療器用磁気遮蔽カバーにおいては、前記軟磁性金属材料は、パーメンジュール、パーマロイ類、鉄、鉄−ケイ素系合金又は磁性鋼からなることが好ましい。
【００１９】
パーメンジュール、パーマロイ類、鉄、鉄−ケイ素系合金及び磁性鋼は、軟磁性金属材料の中でも磁気を遮蔽する効果が高く、また、家庭用永久磁石磁気治療器用磁気遮蔽カバーを構成するのに十分な強度を有するため、このような構成とすることにより、使用者の皮膚表面側以外への磁気をより一層遮蔽するとともに十分な強度を有する家庭用永久磁石磁気治療器用磁気遮蔽カバーとすることが可能となる。
【００２０】
なお、パーメンジュールとは、およそ等量の鉄とコバルトとを含有する合金をいう。
また、パーマロイ類とは、ニッケル及び鉄を主成分とする合金の総称をいう。具体例としては、ニッケルの含有率が７８．５％付近である７８−パーマロイや、７８−パーマロイにさらに５％ほどのモリブデンを含有させたスーパーマロイ等を挙げることができる。
また、ここでいう鉄とは、不純物元素の含有量が非常に少ない鉄（例えば、炭素含有量が０．０２％以下）のことをいう。
また、鉄−ケイ素系合金とは、鉄を主成分とし、合金成分として主にケイ素を含むものをいう。鉄−ケイ素系合金は、他の合金成分としてアルミニウム等を含むこともある。
また、磁性鋼とは、一般に鋼と呼ばれるもののうち磁性を有するものをいう。具体例としては、フェライト系ステンレス鋼、マルテンサイト系ステンレス鋼、炭素工具鋼、合金工具鋼及び高速度鋼を挙げることができる。
【００２１】
［３］本考案の家庭用永久磁石磁気治療器用磁気遮蔽カバーにおいては、前記家庭用永久磁石磁気治療器用磁気遮蔽カバーの少なくとも外表面には、金、白金、ロジウム又はパラジウムを主成分とする保護めっき層が形成されていることが好ましい。
【００２２】
保護めっき層の主成分である金、白金、ロジウム及びパラジウムは反応性が低い金属であるため、このような構成とすることにより、外気、汗等から家庭用永久磁石磁気治療器用磁気遮蔽カバーを保護し、家庭用永久磁石磁気治療器用磁気遮蔽カバーの耐食性を高めることが可能となる。
さらにまた、保護めっき層の主成分である金属が質感に優れる貴金属であることから、高級感のある家庭用永久磁石磁気治療器用磁気遮蔽カバーとなる。
【００２３】
なお、本考案の家庭用永久磁石磁気治療器用磁気遮蔽カバーにおいては、家庭用永久磁石磁気治療器用磁気遮蔽カバーの少なくとも外表面には、ニッケル、パラジウム、ニッケル−パラジウム合金又はニッケル−リン合金からなる下地めっき層を介して、金、白金、ロジウム又はパラジウムを主成分とする保護めっき層が形成されていることがさらに好ましい。
このような構成とすることにより、保護めっき層の密着性及び安定性を向上させ、家庭用永久磁石磁気治療器用磁気遮蔽カバーの耐食性をより高めることが可能となる。
上記のうち、下地めっき層がニッケル、ニッケル−パラジウム合金又はニッケル−リン合金からなる場合、これらの金属は軟磁性金属材料であるので、磁気を遮蔽する効果が向上する。
【００２４】
［４］本考案の家庭用永久磁石磁気治療器用磁気遮蔽カバーにおいては、前記保護めっき層は、前記家庭用永久磁石磁気治療器用磁気遮蔽カバーの表面全体に形成されていることが好ましい。
【００２５】
このような構成とすることにより、家庭用永久磁石磁気治療器用磁気遮蔽カバーの耐食性をさらに高めることが可能となる。
また、上記のような構成とすることにより、外表面のみに保護めっき層が形成されている家庭用永久磁石磁気治療器用磁気遮蔽カバーよりも、家庭用永久磁石磁気治療器用磁気遮蔽カバーを容易に製造することが可能となる。
【００２６】
［５］本考案の家庭用永久磁石磁気治療器用磁気遮蔽カバーにおいては、少なくとも前記保護めっき層の表面には、含侵による封孔処理が施されていることが好ましい。
【００２７】
このような構成とすることにより、保護めっき層の表面等に存在することがある微細な孔やクラックを樹脂によって塞ぐことが可能であるため、家庭用永久磁石磁気治療器用磁気遮蔽カバーの耐食性をいっそう高めることが可能となる。封孔処理に用いる樹脂の具体例としては、アクリル樹脂、エポキシ樹脂、フェノール樹脂等を挙げることができる。
【００２８】
［６］本考案の家庭用永久磁石磁気治療器用磁気遮蔽カバーにおいては、前記家庭用永久磁石磁気治療器用磁気遮蔽カバーにおける天板の厚さは、０．１ｍｍ〜１．０ｍｍであることが好ましい。
【００２９】
このような構成とすることにより、天板の厚さが０．１ｍｍ以上であるため、使用者の皮膚表面側とは反対側への磁気を十分に遮蔽することが可能となる。
【００３０】
また、天板の厚さが１．０ｍｍ以下であるため、家庭用永久磁石磁気治療器用磁気遮蔽カバー全体の厚さが厚くなりすぎず、装着感を損なうこともない。
【００３１】
なお、家庭用永久磁石磁気治療器用磁気遮蔽カバーにおける天板とは、使用時に、家庭用永久磁石磁気治療器の上面（使用者の皮膚表面側とは反対側の面）に面する部分のことをいう。
【００３２】
［７］本考案の家庭用永久磁石磁気治療器用磁気遮蔽カバーにおいては、前記家庭用永久磁石磁気治療器用磁気遮蔽カバーにおける側板の厚さは、０．１ｍｍ〜１．０ｍｍであることが好ましい。
【００３３】
このような構成とすることにより、側板の厚さが０．１ｍｍ以上であるため、家庭用永久磁石磁気治療器の側面側への磁気を十分に遮蔽することが可能となる。
【００３４】
また、側板の厚さが１．０ｍｍ以下であるため、家庭用永久磁石磁気治療器用磁気遮蔽カバー全体の大きさが大きくなりすぎず、装着感を損なうこともない。
【００３５】
なお、家庭用永久磁石磁気治療器用磁気遮蔽カバーにおける側板とは、使用時に、家庭用永久磁石磁気治療器の側面に面する部分のことをいう。
当該構成を有する家庭用永久磁石磁気治療器用磁気遮蔽カバーは、等方性磁石を用いた家庭用永久磁石磁気治療器に対して特に好適に用いることができる。
【００３６】
［８］本考案の家庭用永久磁石磁気治療器用磁気遮蔽カバーにおいては、前記家庭用永久磁石磁気治療器用磁気遮蔽カバーにおける前記凹部の深さ寸法は、前記家庭用永久磁石磁気治療器用磁気遮蔽カバーを被せる対象となる前記家庭用永久磁石磁気治療器の厚さ寸法の２分の１よりも大きく、かつ、前記家庭用永久磁石磁気治療器の厚さ寸法よりも小さいことが好ましい。
【００３７】
このような構成とすることにより、凹部の深さ寸法が、家庭用永久磁石磁気治療器用磁気遮蔽カバーを被せる対象となる家庭用永久磁石磁気治療器の厚さ寸法の２分の１よりも大きいため、家庭用永久磁石磁気治療器の側面側へ漏れ出すことがある磁気をも十分に遮蔽することが可能となる。
【００３８】
また、凹部の深さ寸法が、家庭用永久磁石磁気治療器用磁気遮蔽カバーを被せる対象となる家庭用永久磁石磁気治療器の厚さ寸法よりも小さいため、家庭用永久磁石磁気治療器用磁気遮蔽カバーが使用者の皮膚表面側へ張り出すことがなく、装着感を損なうこともない。さらに、家庭用永久磁石磁気治療器が使用者の皮膚表面に必ず接触することとなることから、磁気治療効果を阻害することもない。
【００３９】
［９］本考案の家庭用永久磁石磁気治療器用磁気遮蔽カバーにおいては、前記家庭用永久磁石磁気治療器は、円盤形状を有し、前記家庭用永久磁石磁気治療器用磁気遮蔽カバーにおける前記凹部は、略円柱形状を有することが好ましい。
【００４０】
本考案は、このように、円盤形状を有する家庭用永久磁石磁気治療器に対して好適に使用することが可能である。
【００４１】
また、略円柱形状を有する凹部は容易に形成することが可能であるため、上記のような構成とすることにより、家庭用永久磁石磁気治療器用磁気遮蔽カバーを容易に製造することが可能となる。
【００４２】
［１０］本考案の家庭用永久磁石磁気治療器用磁気遮蔽カバーにおいては、前記家庭用永久磁石磁気治療器用磁気遮蔽カバーにおける前記凹部の内径は、前記家庭用永久磁石磁気治療器用磁気遮蔽カバーを被せる対象となる前記家庭用永久磁石磁気治療器の直径より少なくとも２０μｍ以上大きく、かつ、前記家庭用永久磁石磁気治療器の直径に前記貼り付け部材の厚さ寸法の２倍を加えた寸法よりも小さいことが好ましい。
【００４３】
このような構成とすることにより、家庭用永久磁石磁気治療器に対して貼り付け部材を介して被せる操作を行うだけで、家庭用永久磁石磁気治療器用磁気遮蔽カバーを固定することが可能となる。
【００４４】
なお、本考案の家庭用永久磁石磁気治療器用磁気遮蔽カバーにおいては、家庭用永久磁石磁気治療器用磁気遮蔽カバーにおける凹部の内径は、家庭用永久磁石磁気治療器用磁気遮蔽カバーを被せる対象となる家庭用永久磁石磁気治療器の直径に貼り付け部材の厚さ寸法の０．５倍を加えた寸法よりも大きく、かつ、家庭用永久磁石磁気治療器の直径に貼り付け部材の厚さ寸法の１．５倍を加えた寸法よりも小さいことがより好ましい。つまり、例えば貼り付け部材の厚さ寸法が０．１ｍｍであるときには、凹部の内径は、家庭用永久磁石磁気治療器の直径に０．０５ｍｍを加えた寸法よりも大きく、かつ、家庭用永久磁石磁気治療器の直径に０．１５ｍｍを加えた寸法よりも小さいことがより好ましい。このような構成とすることにより、家庭用永久磁石磁気治療器用磁気遮蔽カバーをちょうど良い強度で固定することが可能となる。
【００４５】
［１１］本考案の家庭用永久磁石磁気治療器用磁気遮蔽カバーにおいては、前記凹部の縁及び／又は側板外面における使用者の皮膚表面側の縁には、面取り加工及び／又は丸め加工が施されていることが好ましい。
【００４６】
このような構成とすることにより、家庭用永久磁石磁気治療器用磁気遮蔽カバーを家庭用永久磁石磁気治療器に取り付けるときの操作性及び家庭用永久磁石磁気治療器用磁気遮蔽カバーを家庭用永久磁石磁気治療器から取り外すときの操作性を向上させることが可能となる。
【００４７】
また、このような構成とすることにより、凹部の縁や側板外面における使用者の皮膚表面側の縁に人体が触れるときの安全性を向上させることが可能となる。
【００４８】
また、このような構成とすることにより、凹部の縁や側板外面における使用者の皮膚表面側の縁が貼り付け部材を傷付けることを抑制することが可能となる。
【００４９】
［１２］本考案の家庭用永久磁石磁気治療器用磁気遮蔽カバーにおいては、前記家庭用永久磁石磁気治療器用磁気遮蔽カバーにおける天板は、中心部付近が最も厚く、辺縁部に向かうにつれて徐々に薄くなる形状であることが好ましい。
【００５０】
このような構成とすることにより、家庭用永久磁石磁気治療器用磁気遮蔽カバーの強度を高くすることが可能となる。
【００５１】
［１３］本考案の家庭用永久磁石磁気治療器用磁気遮蔽カバーにおいては、前記家庭用永久磁石磁気治療器用磁気遮蔽カバーにおける天板は、中心部付近が最も薄く、辺縁部に向かうにつれて徐々に厚くなる形状であることが好ましい。
【００５２】
ところで、一般的な家庭用永久磁石磁気治療器においては、中心部の磁束密度よりも辺縁部の磁束密度の方が大きくなる。上記のような構成とすることにより、家庭用永久磁石磁気治療器の辺縁部に対応する天板の辺縁部が厚くなっているため、使用者の皮膚表面側以外への磁気をより均等に遮蔽することが可能となる。
【００５３】
［１４］本考案の家庭用永久磁石磁気治療器用磁気遮蔽カバーにおいては、前記家庭用永久磁石磁気治療器用磁気遮蔽カバーの少なくとも外表面には、鏡面仕上げ加工が施されていることが好ましい。
【００５４】
このような構成とすることにより、高級感のある外見を有する家庭用永久磁石磁気治療器用磁気遮蔽カバーとなる。
【００５５】
また、家庭用永久磁石磁気治療器用磁気遮蔽カバーの表面に保護めっき層が形成されている場合においては、上記のような構成とすることにより、保護めっき層の表面を平滑化することが可能となるため、より高級感のある外見を有する家庭用永久磁石磁気治療器用磁気遮蔽カバーとなる。さらに、保護めっき層の表面に生じることがある微細な孔やクラックの発生を抑制することが可能となり、家庭用永久磁石磁気治療器用磁気遮蔽カバーの耐食性をいっそう高めることが可能となる。
【００５６】
［１５］本考案の家庭用永久磁石磁気治療器用磁気遮蔽カバーにおいては、前記家庭用永久磁石磁気治療器用磁気遮蔽カバーの外表面における角部には、面取り加工、丸め加工又はその両方が施されていることが好ましい。
【００５７】
このような構成とすることにより、使用者が家庭用永久磁石磁気治療器用磁気遮蔽カバーに触れるときの安全性を向上させることが可能となる。
【００５８】
［１６］本考案の家庭用永久磁石磁気治療器用磁気遮蔽カバーにおいては、前記家庭用永久磁石磁気治療器用磁気遮蔽カバーを被せる対象となる前記家庭用永久磁石磁気治療器は、内部に永久磁石部収納部を有し、厚さが０．５ｍｍ〜１．５５ｍｍである円盤状の保護ケース部と、前記永久磁石部収納部に収納され、厚さが０．３ｍｍ〜１．２ｍｍであるネオジム−鉄−ホウ素系合金焼結磁石からなる永久磁石部とを備える家庭用永久磁石磁気治療器であることが好ましい。
【００５９】
このように、本考案は、薄型の保護ケース部を備える家庭用永久磁石磁気治療器に対して好適に使用することが可能である。
【００６０】
［１７］本考案の家庭用永久磁石磁気治療器用磁気遮蔽カバーにおいては、前記家庭用永久磁石磁気治療器用磁気遮蔽カバーを被せる対象となる前記家庭用永久磁石磁気治療器は、円盤状の永久磁石部と、前記永久磁石部の外側に形成され、金、白金、ロジウム又はパラジウムを主成分とする保護コーティング層とを備え、前記永久磁石部は、厚さが０．３ｍｍ〜０．９ｍｍのネオジム−鉄−ホウ素系合金焼結磁石からなる家庭用永久磁石磁気治療器であることが好ましい。
【００６１】
このように、本考案は、薄型の永久磁石部からなる家庭用永久磁石磁気治療器に対しても好適に使用することが可能である。
【図面の簡単な説明】
【００６２】
【図１】実施形態１に係る家庭用永久磁石磁気治療器用磁気遮蔽カバー１００の使用時における態様を説明するために示す図である。
【図２】実施形態１に係る家庭用永久磁石磁気治療器用磁気遮蔽カバー１００を説明するために示す図である。
【図３】実施形態２に係る家庭用永久磁石磁気治療器用磁気遮蔽カバー１０２を説明するために示す図である。
【図４】実施形態３に係る家庭用永久磁石磁気治療器用磁気遮蔽カバー１０４の使用時における態様を説明するために示す図である。
【図５】実施形態４に係る家庭用永久磁石磁気治療器用磁気遮蔽カバー１０６を説明するために示す図である。
【図６】変形例１に係る家庭用永久磁石磁気治療器用磁気遮蔽カバー１０８の断面図である。
【図７】変形例２に係る家庭用永久磁石磁気治療器用磁気遮蔽カバー１０９の断面図である。
【図８】特許文献１に記載されている貼り付け部材付き家庭用永久磁石磁気治療器８００を説明するために示す断面図である。
【図９】特許文献２に記載されている貼り付け部材付き家庭用永久磁石磁気治療器９００を説明するために示す断面図である。
【考案を実施するための形態】
【００６３】
以下、本考案の家庭用永久磁石磁気治療器用磁気遮蔽カバーについて、図に示す実施の形態に基づいて説明する。
【００６４】
［実施形態１］
図１は、実施形態１に係る家庭用永久磁石磁気治療器用磁気遮蔽カバー１００（以下、磁気遮蔽カバー１００と記載する。）の使用時における態様を説明するために示す図である。図１（ａ）は使用時における磁気遮蔽カバー１００等を上方側から見た斜視図であり、図１（ｂ）は使用時における磁気遮蔽カバー１００等を下方側から見た斜視図であり、図１（ｃ）は使用時における磁気遮蔽カバー１００等の断面図である。なお、図１（ａ）及び図１（ｂ）においては、使用者の皮膚Ｈの図示を省略している。
【００６５】
図２は、実施形態１に係る磁気遮蔽カバー１００を説明するために示す図である。図２（ａ）は磁気遮蔽カバー１００の上面図であり、図２（ｂ）は磁気遮蔽カバー１００の断面図であり、図２（ｃ）は図２（ｂ）におけるＲ１の範囲を拡大して示す図であり、図２（ｄ）は図２（ｂ）におけるＲ２の範囲を拡大して示す図である。
【００６６】
実施形態１に係る磁気遮蔽カバー１００は、図１に示すように、貼り付け部材である絆創膏３００により使用者の皮膚Ｈ表面に貼り付けて用いる家庭用永久磁石磁気治療器２００（以下、磁気治療器２００と記載する。）に対して、絆創膏３００を介して被せて使用する。
【００６７】
まず、実施形態１において磁気遮蔽カバー１００を使用する対象となる磁気治療器２００及び絆創膏３００の構成を説明する。
【００６８】
磁気治療器２００は、図１（ｃ）に示すように、円盤状の保護ケース部２２０と、円盤状の永久磁石部２１０とを備え、全体として円盤形状を有している。
【００６９】
保護ケース部２２０は、内部に永久磁石部収納部２５０を有し、厚さが１．４ｍｍ、直径が６．０ｍｍである。
【００７０】
保護ケース部２２０は、非磁性金属材料であるチタンからなり使用時に使用者の皮膚表面側に位置することとなる第１ケース部材２３０と、非磁性金属材料であるチタンからなり使用時に使用者の皮膚表面側とは反対側に位置することとなる第２ケース部材２４０とを有する。
第１ケース部材２３０及び第２ケース部材２４０は、嵌合によって固定されている。
また、保護ケース部２２０の角部には、丸め加工及び面取り加工の両方が施されている。
【００７１】
第１ケース部材２３０の、使用時に永久磁石部２１０の使用者の皮膚Ｈ表面側と向かい合う部分（磁気治療器２００における底板）の厚さは０．２ｍｍである。また、第２ケース部材２４０の、使用時に永久磁石部２１０の使用者の皮膚Ｈ表面側とは反対側の面と向かい合う部分（磁気治療器２００における天板）の厚さも０．２ｍｍである。
【００７２】
第１ケース部材２３０の内面と第２ケース部材２４０の内面とにより、円盤状の永久磁石部収納部２５０が形成されている。
永久磁石部収納部２５０は、後述する永久磁石部２１０の寸法よりも大きく、深さが１．０ｍｍ、内径が４．９ｍｍである。
【００７３】
永久磁石部２１０は、永久磁石部収納部２５０に収納されている。また、永久磁石部２１０は、厚さが０．８ｍｍ、直径が４．０ｍｍであり、ネオジム−鉄−ホウ素系合金焼結磁石からなる。
図示による詳しい説明は省略するが、永久磁石部２１０の表面には、ニッケルからなる防錆層が形成されている。防錆層は、電解めっき法又は無電解めっき法で形成される。
【００７４】
磁気治療器２００の使用時には、絆創膏３００により磁気治療器２００を使用者の皮膚Ｈ表面に貼り付けて用いる。絆創膏３００の厚さ寸法は０．１ｍｍである。絆創膏３００は、基材及び粘着層からなる。基材の材料としてはある程度の弾力性があるものが好ましく、例えば、綿−ポリウレタン混紡材、ポリ塩化ビニル、紙系不織布等を好適に用いることができる。粘着層の材料としては、例えば、アクリル系粘着材、ゴム系粘着材、シリコーン系粘着材等を好適に用いることができる。なお、貼り付け部材として、パッチ、シール等を用いることもできる。
【００７５】
次に、実施形態１に係る磁気遮蔽カバー１００の構成を説明する。
【００７６】
実施形態１に係る磁気遮蔽カバー１００は、軟磁性金属材料であるフェライト系ステンレス鋼からなる。図２において、符号１３０で示すのは、フェライト系ステンレス鋼からなる軟磁性金属材料部である。磁気遮蔽カバー１００の外表面における角部には、面取り加工が施されている。図示による詳しい説明は省略するが、磁気遮蔽カバー１００の外表面には、さらに鏡面仕上げ加工が施されている。
【００７７】
磁気遮蔽カバー１００には、図２（ｂ）に示すように、磁気治療器２００の外面形状に対応する内面形状（つまり、略円柱形状）を有する凹部１２０が形成されている。凹部１２０の深さ寸法は１．３ｍｍであり、内径は６．１ｍｍである。
図２（ａ）及び図２（ｂ）において、符号１１０で示すのは磁気遮蔽カバー１００における天板であり、当該天板１１０の厚さは０．４ｍｍである。
図２（ｂ）において、符号１６０で示すのは磁気遮蔽カバー１００における側板であり、当該側板１６０の厚さは０．４ｍｍである。
【００７８】
磁気遮蔽カバー１００の表面全体には、図２（ｃ）及び図２（ｄ）に示すように、ニッケルからなる下地めっき層（図示せず。）を介して金からなる保護めっき層１４０が形成されている。保護めっき層１４０の厚さは０．５μｍであり、例えば、電解めっき法又は無電解めっき法で形成することができる。なお、図２（ａ）及び図２（ｂ）においては、保護めっき層１４０の図示を省略している。下地めっき層の厚さは２μｍであり、例えば、電解めっき法又は無電解めっき法で形成することができる。下地めっき層はその他の金属、例えば、パラジウム、ニッケル−パラジウム合金又はニッケル−リン合金からなるものであってもよい。
なお、下地めっき層の代わりに、軟磁性金属からなる磁性めっき層を形成してもよい。また、磁性めっき層を介して下地めっき層を形成してもよい。このように構成することにより、磁気を遮蔽する効果がさらに向上する。
【００７９】
次に、実施形態１に係る磁気遮蔽カバー１００の効果を説明する。
【００８０】
上記したように、実施形態１に係る磁気遮蔽カバー１００によれば、軟磁性金属材料そのものを用いて磁気遮蔽カバー１００としているため、特許文献１に記載されている貼り付け部材付き家庭用永久磁石磁気治療器８００及び特許文献２に記載されている貼り付け部材付き家庭用永久磁石磁気治療器９００と比較して、使用者の皮膚Ｈ表面側以外への磁気を十分に遮蔽することが可能となる。
【００８１】
また、実施形態１に係る磁気遮蔽カバー１００によれば、いわゆるバックヨーク効果が得られるようになり、その結果、磁気治療器２００の磁気治療効果を高めることが可能となる。
【００８２】
また、実施形態１に係る磁気遮蔽カバー１００によれば、磁気治療器２００とは別の磁気遮蔽カバー１００を用いることにより、磁気治療器２００に特段の加工をすることなく、上記した効果を得ることが可能となる。
【００８３】
また、実施形態１に係る磁気遮蔽カバー１００によれば、磁気遮蔽カバー１００が磁気治療器２００とは別体であるため、磁気治療器２００の裏表に関係なく、使用者の皮膚Ｈ表面側以外への磁気を十分に遮蔽し、かつ、所定の磁気治療効果を得ることが可能となる。
【００８４】
また、実施形態１に係る磁気遮蔽カバー１００によれば、軟磁性金属材料が磁性鋼であるフェライト系ステンレス鋼からなるため、使用者の皮膚Ｈ表面側以外への磁気をより一層遮蔽するとともに十分な強度を有する家庭用永久磁石磁気治療器用磁気遮蔽カバーとすることが可能となる。
【００８５】
また、実施形態１に係る磁気遮蔽カバー１００によれば、磁気遮蔽カバー１００の表面全体には、金からなる保護めっき層１４０が形成されているため、外気、汗等から磁気遮蔽カバー１００を保護し、磁気遮蔽カバー１００の耐食性を高めることが可能となる。また、金が質感に優れる貴金属であることから、高級感のある家庭用永久磁石磁気治療器用磁気遮蔽カバーとなる。
【００８６】
また、実施形態１に係る磁気遮蔽カバー１００によれば、磁気遮蔽カバー１００の表面全体には、ニッケルからなる下地めっき層を介して保護めっき層１４０が形成されているため、保護めっき層１４０の密着性及び安定性を向上させ、磁気遮蔽カバー１００の耐食性をより高めることが可能となる。また、下地めっき層がニッケルからなるため、磁気を遮蔽する効果が向上する。
【００８７】
また、実施形態１に係る磁気遮蔽カバー１００によれば、保護めっき層１４０が磁気遮蔽カバー１００の表面全体に形成されているため、磁気遮蔽カバー１００の耐食性をさらに高めることが可能となる。また、外表面のみに保護めっき層が形成されている家庭用永久磁石磁気治療器用磁気遮蔽カバーよりも、磁気遮蔽カバー１００を容易に製造することが可能となる。
【００８８】
また、実施形態１に係る磁気遮蔽カバー１００によれば、磁気遮蔽カバー１００における天板１１０の厚さが０．４ｍｍであるため、使用者の皮膚Ｈ表面側とは反対側への磁気を十分に遮蔽することが可能となり、また、磁気遮蔽カバー１００全体の厚さが厚くなりすぎず、装着感を損なうこともない。
【００８９】
また、実施形態１に係る磁気遮蔽カバー１００によれば、磁気遮蔽カバー１００における側板１６０の厚さが０．４ｍｍであるため、磁気治療器２００の側面側への磁気を十分に遮蔽することが可能となり、また、磁気遮蔽カバー１００全体の大きさが大きくなりすぎず、装着感を損なうこともない。
【００９０】
また、実施形態１に係る磁気遮蔽カバー１００によれば、凹部１２０の深さ寸法が１．３ｍｍであり、当該深さ寸法は、磁気治療器２００の厚さ寸法の２分の１（０．７ｍｍ）よりも大きいため、磁気治療器２００の側面側へ漏れ出すことがある磁気をも十分に遮蔽することが可能となる。
【００９１】
また、実施形態１に係る磁気遮蔽カバー１００によれば、凹部１２０の深さ寸法が１．３ｍｍであり、当該深さ寸法は、磁気治療器２００の厚さ寸法（１．４ｍｍ）よりも小さいため、磁気遮蔽カバー１００が使用者の皮膚Ｈ表面側へ張り出すことがなく、装着感を損なうこともない。さらに、磁気治療器２００が使用者の皮膚Ｈ表面に必ず接触することとなることから、磁気治療効果を阻害することもない。
【００９２】
また、実施形態１に係る磁気遮蔽カバー１００によれば、磁気治療器２００が円盤形状を有し、磁気遮蔽カバー２００における凹部１２０が略円柱形状を有するため、磁気遮蔽カバー１００を容易に製造することが可能となる。
【００９３】
また、実施形態１に係る磁気遮蔽カバー１００によれば、凹部１２０の内径が６．１ｍｍであり、当該内径が磁気治療器２００の直径（６．０ｍｍ）より２０μｍ以上大きく、かつ、磁気治療器２００の直径に絆創膏３００の厚さ寸法の２倍を加えた寸法（６．２ｍｍ）よりも小さいため、磁気治療器２００に対して絆創膏３００を介して被せる操作を行うだけで、磁気遮蔽カバー１００を固定することが可能となる。
【００９４】
また、実施形態１に係る磁気遮蔽カバー１００によれば、凹部１２０の内径が磁気治療器２００の直径に絆創膏３００の厚さ寸法の０．５倍を加えた寸法（６．０５ｍｍ）よりも大きく、かつ、磁気治療器２００の直径に絆創膏３００の厚さ寸法の１．５倍を加えた寸法（６．１５ｍｍ）よりも小さいため、磁気遮蔽カバー１００をちょうど良い強度で固定することが可能となる。
【００９５】
また、実施形態１に係る磁気遮蔽カバー１００によれば、磁気遮蔽カバー１００の外表面には鏡面仕上げ加工が施されているため、保護めっき層１４０の表面を平滑化することが可能となり、より高級感のある外見を有する家庭用永久磁石磁気治療器用磁気遮蔽カバーとなる。さらに、保護めっき層１４０の表面に生じることがある微細な孔やクラックの発生を抑制することが可能となり、磁気遮蔽カバー１００の耐食性をいっそう高めることが可能となる。
【００９６】
また、実施形態１に係る磁気遮蔽カバー１００によれば、磁気遮蔽カバー１００の外表面における角部には面取り加工が施されているため、使用者が磁気遮蔽カバー１００に触れるときの安全性を向上させることが可能となる。
【００９７】
本考案は、上記の磁気治療器２００のように、円盤形状を有する家庭用永久磁石磁気治療器に対して好適に使用することが可能である。
【００９８】
また、本考案は、上記の磁気治療器２００のように、薄型の保護ケース部を備える家庭用永久磁石磁気治療器に対して好適に使用することが可能である。
【００９９】
［実施形態２］
図３は、実施形態２に係る家庭用永久磁石磁気治療器用磁気遮蔽カバー１０２（以下、磁気遮蔽カバー１０２と記載する。）を説明するために示す図である。図３（ａ）は磁気遮蔽カバー１０２の上面図であり、図３（ｂ）は磁気遮蔽カバー１０２の断面図である。
【０１００】
実施形態２に係る磁気遮蔽カバー１０２は、基本的には実施形態１に係る磁気遮蔽カバー１００と同様の構成を有するが、凹部の構成並びに天板及び側板の形状が実施形態１に係る磁気遮蔽カバー１００の場合とは異なる。すなわち、実施形態２に係る磁気遮蔽カバー１０２においては、図３に示すように、凹部１２２は当該凹部１２２の縁１５０及び側板１６２外面における使用者の皮膚Ｈ表面側の縁１５２に面取り加工及び丸め加工が施された構成となっており、また、天板１１２は中心部付近が最も厚く、辺縁部に向かうにつれて徐々に薄くなる形状（天板外面の中心部が盛り上がった形状）となっている。さらに、側版１６２は厚さが不均一な形状となっている。なお、天板１１２の最大厚さ（中心部の厚さ）は０．４ｍｍであり、最小厚さ（最も辺縁の厚さ）は０．２５ｍｍである。また、側板１６２の最大厚さは０．８ｍｍであり、最小厚さは０．４ｍｍである。
【０１０１】
このように、実施形態２に係る磁気遮蔽カバー１０２は、凹部の構成及び天板の形状が実施形態１に係る磁気遮蔽カバー１００の場合とは異なるが、実施形態１に係る磁気遮蔽カバー１００の場合と同様に、軟磁性金属材料そのものを用いて磁気遮蔽カバー１０２としているため、特許文献１に記載されている貼り付け部材付き家庭用永久磁石磁気治療器８００及び特許文献２に記載されている貼り付け部材付き家庭用永久磁石磁気治療器９００と比較して、使用者の皮膚Ｈ表面側以外への磁気を十分に遮蔽することが可能となる。
【０１０２】
また、実施形態２に係る磁気遮蔽カバー１０２によれば、磁気遮蔽カバー１０２における天板１１２の厚さが０．２５ｍｍ〜０．４ｍｍであるため、使用者の皮膚Ｈ表面側とは反対側への磁気を十分に遮蔽することが可能となり、また、磁気遮蔽カバー１０２全体の厚さが厚くなりすぎず、装着感を損なうこともない。
【０１０３】
また、実施形態２に係る磁気遮蔽カバー１０２によれば、磁気遮蔽カバー１０２における側板１６２の厚さが０．４ｍｍ〜０．８ｍｍであるため、磁気治療器２００の側面側への磁気を十分に遮蔽することが可能となり、また、磁気遮蔽カバー１０２全体の大きさが大きくなりすぎず、装着感を損なうこともない。
【０１０４】
また、実施形態２に係る磁気遮蔽カバー１０２によれば、凹部１２２の縁１５０及び側板１６２外面における使用者の皮膚Ｈ表面側の縁１５２には面取り加工及び丸め加工が施されているため、磁気遮蔽カバー１０２を磁気治療器２００に取り付けるときの操作性及び磁気遮蔽カバー１０２を磁気治療器２００から取り外すときの操作性を向上させることが可能となる。
【０１０５】
また、実施形態２に係る磁気遮蔽カバー１０２によれば、凹部１２２の縁１５０及び側板１６２外面における使用者の皮膚Ｈ表面側の縁１５２には面取り加工及び丸め加工が施されているため、凹部１２２の縁や側板１６２外面における使用者の皮膚Ｈ表面側の縁１５２に人体が触れるときの安全性を向上させることが可能となる。
【０１０６】
また、実施形態２に係る磁気遮蔽カバー１０２によれば、凹部１２２の縁１５０及び側板１６２外面における使用者の皮膚Ｈ表面側の縁１５２には面取り加工及び丸め加工が施されているため、凹部１２２の縁や側板１６２外面における使用者の皮膚Ｈ表面側の縁１５２が絆創膏３００を傷付けることを抑制することが可能となる。
【０１０７】
また、実施形態２に係る磁気遮蔽カバー１０２によれば、天板１１２が、中心部付近が最も厚く、辺縁部に向かうにつれて徐々に薄くなる形状であるため、磁気遮蔽カバー１０２の強度を高くすることが可能となる。
【０１０８】
なお、実施形態２に係る磁気遮蔽カバー１０２は、凹部の構成及び天板の形状以外の点においては、実施形態１に係る磁気遮蔽カバー１００と同様の構成を有するため、実施形態１に係る磁気遮蔽カバー１００が有する効果のうち該当する効果をそのまま有する。
【０１０９】
［実施形態３］
図４は、実施形態３に係る家庭用永久磁石磁気治療器用磁気遮蔽カバー１０４（以下、磁気遮蔽カバー１０４と記載する。）の使用時における態様を説明するために示す図である。
【０１１０】
実施形態３に係る磁気遮蔽カバー１０４は、基本的には実施形態１に係る磁気遮蔽カバー１００と同様の構成を有するが、使用する対象となる家庭用永久磁石磁気治療器の構成が異なり、それに伴って家庭用永久磁石磁気治療器用磁気遮蔽カバーの寸法も異なる。
【０１１１】
実施形態３に係る磁気遮蔽カバー１０４は、図４に示すように、貼り付け部材である絆創膏３００により使用者の皮膚Ｈ表面に貼り付けて用いる家庭用永久磁石磁気治療器２０２（以下、磁気治療器２０２と記載する。）に対して、絆創膏３００を介して被せて使用する。
【０１１２】
磁気治療器２０２は、円盤状の永久磁石部（図４においては、符号２０２で示す箇所と同じ箇所）と、保護コーティング層（図示せず。）と、下地めっき層（図示せず。）とを備える。
【０１１３】
永久磁石部は厚さが０．８ｍｍ、直径が４．０ｍｍのネオジム−鉄−ホウ素系合金焼結磁石からなる。また、永久磁石部の角部には丸め加工が施されており、当該丸め加工は、バレル研磨によって行われたものである。
保護コーティング層は、下地めっき層を介して永久磁石部の外側に形成され、金からなる。保護コーティング層の厚さは０．５μｍであり、例えば、電解めっき法又は無電解めっき法で形成することができる。
下地めっき層は、ニッケルからなる。下地めっき層の厚さは２μｍであり、例えば、電解めっき法又は無電解めっき法で形成することができる。
【０１１４】
実施形態３に係る磁気遮蔽カバー１０４は、凹部１２４（図中に指示せず。）の深さ寸法が０．７ｍｍであり、内径が０．９ｍｍであること以外は、実施形態１に係る磁気遮蔽カバー１００と同様の構成を有する。
【０１１５】
このように、実施形態３に係る磁気遮蔽カバー１０４は、使用する対象となる家庭用永久磁石磁気治療器の構成が実施形態１に係る磁気遮蔽カバー１００の場合とは異なり、それに伴って家庭用永久磁石磁気治療器用磁気遮蔽カバーの寸法も実施形態１に係る磁気遮蔽カバー１００の場合とは異なるが、実施形態１に係る磁気遮蔽カバー１００の場合と同様に、軟磁性金属材料そのものを用いて磁気遮蔽カバー１０４としているため、特許文献１に記載されている貼り付け部材付き家庭用永久磁石磁気治療器８００及び特許文献２に記載されている貼り付け部材付き家庭用永久磁石磁気治療器９００と比較して、使用者の皮膚Ｈ表面側以外への磁気を十分に遮蔽することが可能となる。
【０１１６】
また、実施形態３に係る磁気遮蔽カバー１０４によれば、凹部１２４の深さ寸法が０．７ｍｍであり、当該深さ寸法は、磁気治療器２０２の厚さ寸法の２分の１（０．４ｍｍ）よりも大きいため、磁気治療器２０２の側面側へ漏れ出すことがある磁気をも十分に遮蔽することが可能となる。
【０１１７】
また、実施形態３に係る磁気遮蔽カバー１０４によれば、凹部１２４の深さ寸法が０．７ｍｍであり、当該深さ寸法は、磁気治療器２０２の厚さ寸法（０．８ｍｍ）よりも小さいため、磁気遮蔽カバー１０４が使用者の皮膚Ｈ表面側へ張り出すことがなく、装着感を損なうこともない。さらに、磁気治療器２０２が使用者の皮膚Ｈ表面に必ず接触することとなることから、磁気治療効果を阻害することもない。
【０１１８】
なお、実施形態３に係る磁気遮蔽カバー１０４は、使用する対象となる家庭用永久磁石磁気治療器の構成及び家庭用永久磁石磁気治療器用磁気遮蔽カバーの寸法以外の点においては、実施形態１に係る磁気遮蔽カバー１００と同様の構成を有するため、実施形態１に係る磁気遮蔽カバー１００が有する効果のうち該当する効果をそのまま有する。
【０１１９】
［実施形態４］
図５は、実施形態４に係る家庭用永久磁石磁気治療器用磁気遮蔽カバー１０６（以下、磁気遮蔽カバー１０６と記載する。）を説明するために示す図である。図５（ａ）は磁気遮蔽カバー１０６の上面図であり、図５（ｂ）は磁気遮蔽カバー１０６の断面図である。
【０１２０】
実施形態４に係る磁気遮蔽カバー１０６は、基本的には実施形態１に係る磁気遮蔽カバー１００と同様の構成を有するが、天板の形状が実施形態１に係る磁気遮蔽カバー１００の場合とは異なる。すなわち、実施形態４に係る磁気遮蔽カバー１０６においては、図５に示すように、天板１１４は中心部付近が最も薄く、辺縁部に向かうにつれて徐々に厚くなる形状（天板外面の中心部がへこんだ形状）となっている。なお、天板１１４の最大厚さ（最も辺縁の厚さ）は０．４ｍｍであり、最小厚さ（中心部の厚さ）は０．２５ｍｍである。
【０１２１】
このように、実施形態４に係る磁気遮蔽カバー１０６は、天板の形状が実施形態１に係る磁気遮蔽カバー１００の場合とは異なるが、実施形態１に係る磁気遮蔽カバー１００の場合と同様に、軟磁性金属材料そのものを用いて磁気遮蔽カバー１０６としているため、特許文献１に記載されている貼り付け部材付き家庭用永久磁石磁気治療器８００及び特許文献２に記載されている貼り付け部材付き家庭用永久磁石磁気治療器９００と比較して、使用者の皮膚Ｈ表面側以外への磁気を十分に遮蔽することが可能となる。
【０１２２】
また、実施形態４に係る磁気遮蔽カバー１０６によれば、磁気遮蔽カバー１０６における天板１１４の厚さが０．２５ｍｍ〜０．４ｍｍであるため、使用者の皮膚Ｈ表面側とは反対側への磁気を十分に遮蔽することが可能となり、また、磁気遮蔽カバー１０６全体の厚さが厚くなりすぎず、装着感を損なうこともない。
【０１２３】
また、実施形態４に係る磁気遮蔽カバー１０６によれば、天板１１４が、中心部付近が最も薄く、辺縁部に向かうにつれて徐々に厚くなる形状であるため、使用者の皮膚表面側以外への磁気をより均等に遮蔽することが可能となる。
【０１２４】
なお、実施形態４に係る磁気遮蔽カバー１０６は、天板の形状以外の点においては、実施形態１に係る磁気遮蔽カバー１００と同様の構成を有するため、実施形態１に係る磁気遮蔽カバー１００が有する効果のうち該当する効果をそのまま有する。
【０１２５】
［実施例１及び２］
以下の実施例１及び２は、本考案の家庭用永久磁石磁気治療器用磁気遮蔽カバーを家庭用永久磁石磁気治療器と共に使用したときにおける磁束密度を測定した例を示す実施例である。実施例１及び２において、磁束密度の測定はＬａｋｅＳｈｏｒｅ社の４１０  Ｇａｕｓｓｍｅｔｅｒを用いて行った。
【０１２６】
実施例１においては、実施形態１に係る磁気遮蔽カバー１００と同様の構成を有する家庭用永久磁石磁気治療器用磁気遮蔽カバー（図示せず。以下、磁気遮蔽カバー１００ａと記載する。）及び実施形態１における磁気治療器２００と同様の構成を有する家庭用永久磁石磁気治療器（図示せず。以下、磁気治療器２００ａと記載する。）を準備した。その後、磁気治療器２００ａの上面中央部における磁束密度を測定した。さらにその後、磁気遮蔽カバー１００ａを磁気治療器２００ａにかぶせた状態（実施形態１参照。）における磁気治療器２００ａの底面中央部における磁束密度及び磁気遮蔽カバー１００ａの天板外面中央部における磁束密度をそれぞれ測定した。その結果、磁気治療器２００ａの上面中央部における磁束密度は１６０ｍＴであり、磁気治療器２００ａの底面中央部における磁束密度は１８０ｍＴであり、磁気遮蔽カバー１００ａの天板外面中央部における磁束密度は８ｍＴであった。
【０１２７】
実施例２においては、天板の厚さが０．５ｍｍである点以外は試験例１に係る磁気遮蔽カバー１００ａと同様の構成を有する家庭用永久磁石磁気治療器用磁気遮蔽カバー（図示せず。以下、磁気遮蔽カバー１００ｂと記載する。）及び磁気治療器２００ａを準備した。その後、試験例１と同様の手順で磁束密度を測定した。その結果、磁気治療器２００ａの上面中央部における磁束密度は１６０ｍＴであり、磁気治療器２００ａの底面中央部における磁束密度は１９０ｍＴであり、磁気遮蔽カバー１００ｂの天板外面中央部における磁束密度は４ｍＴであった。
【０１２８】
実施例１及び２の測定結果から、「本考案の家庭用永久磁石磁気治療器用磁気遮蔽カバーが使用者の皮膚表面側以外への磁気を十分に遮蔽すること」が確認できた。また、実施例１及び２の測定結果から、家庭用永久磁石磁気治療器用磁気遮蔽カバーが０．１ｍｍ厚くなる毎に磁束密度が約５０％減少することがわかった。
【０１２９】
以上、本考案を上記の実施形態に基づいて説明したが、本考案は上記の実施形態に限定されるものではない。その趣旨を逸脱しない範囲において種々の様態において実施することが可能であり、例えば、次のような変形も可能である。
【０１３０】
（１）上記各実施形態における家庭用永久磁石磁気治療器用磁気遮蔽カバーの形状及び寸法は一例であり、本考案はこれに限定されるものではない。
【０１３１】
（２）上記各実施形態においては、軟磁性金属材料がフェライト系ステンレス鋼からなるものであるが、本考案はこれに限定されるものではない。軟磁性金属材料は、例えば、パーメンジュール、パーマロイ類、鉄、鉄−ケイ素系合金、フェライト系ステンレス鋼以外の磁性鋼等からなるものであってもよい。
【０１３２】
（３）上記各実施形態においては、軟磁性金属材料がフェライト系ステンレス鋼からなるものであるが、本考案はこれに限定されるものではない。軟磁性金属材料は、鉄系アモルファス合金又はコバルト系アモルファス合金からなるものであってもよい。これらのアモルファス合金も磁気を遮蔽する効果が高く、また、家庭用永久磁石磁気治療器用磁気遮蔽カバーを構成するのに十分な強度を有するため、使用者の皮膚表面側以外への磁気をより十分に遮蔽するとともに十分な強度を有する家庭用永久磁石磁気治療器用磁気遮蔽カバーとすることが可能となる。
【０１３３】
（４）上記各実施形態においては、保護めっき層は金からなるものであるが、本考案はこれに限定されるものではない。例えば、白金、ロジウム又はパラジウムからなるものであってもよい。また、金、白金、ロジウム又はパラジウムのうちいずれかを主成分とする合金又は混合物からなるものであってもよい。
【０１３４】
（５）上記各実施形態においては、家庭用永久磁石磁気治療器用磁気遮蔽カバーの表面には、下地めっき層を介して保護めっき層が形成されているが、本考案はこれに限定されるものではない。家庭用永久磁石磁気治療器用磁気遮蔽カバーの表面には、下地めっき層を介さずに保護めっき層が形成されていてもよい。また、家庭用永久磁石磁気治療器用磁気遮蔽カバーが、クロムを多く含むフェライト系ステンレス鋼のように安定な物質で構成されている場合には、保護めっき層自体が形成されていなくてもよい。
【０１３５】
（６）上記各実施形態においては、保護めっき層が、家庭用永久磁石磁気治療器用磁気遮蔽カバーの表面全体に形成されているが、本考案はこれに限定されるものではない。保護めっき層が、家庭用永久磁石磁気治療器用磁気遮蔽カバーの外表面のみに形成されていてもよい。
【０１３６】
（７）上記各実施形態においては、保護めっき層の表面には、含侵による封孔処理が施されていてもよい。このような構成とすることにより、保護めっき層の表面等に存在することがある微細な孔やクラックを樹脂によって塞ぐことが可能であるため、家庭用永久磁石磁気治療器用磁気遮蔽カバーの耐食性をいっそう高めることが可能となる。封孔処理に用いる樹脂の具体例としては、アクリル樹脂、エポキシ樹脂、フェノール樹脂等を挙げることができる。
【０１３７】
（８）上記実施形態１及び３においては、天板の厚さが０．４ｍｍであり、上記実施形態２においては、天板１１２の厚さが０．２５ｍｍ〜０．４ｍｍであるが、本考案はこれに限定されるものではない。天板の厚さは、０．１ｍｍ〜１．０ｍｍの範囲内であればよい。
【０１３８】
（９）上記実施形態１及び３においては、側板の厚さが０．４ｍｍであり、上記実施形態２においては、側板１６２の厚さが０．４ｍｍ〜０．８ｍｍであるが、本考案はこれに限定されるものではない。側板の厚さは、０．１ｍｍ〜１．０ｍｍの範囲内であればよい。
【０１３９】
（１０）上記実施形態１及び２においては、凹部の深さ寸法が１．３ｍｍであり、上記実施形態３においては、凹部の深さ寸法が０．７ｍｍであるが、本考案はこれに限定されるものではない。凹部の深さ寸法は、家庭用永久磁石磁気治療器用磁気遮蔽カバーを被せる対象となる家庭用永久磁石磁気治療器の厚さ寸法の２分の１よりも大きく、かつ、家庭用永久磁石磁気治療器の厚さ寸法よりも小さければよい。
【０１４０】
（１１）上記各実施形態においては、家庭用永久磁石磁気治療器が円盤形状を有し、家庭用永久磁石磁気治療器用磁気遮蔽カバーにおける凹部が略円柱形状を有するものであるが、本考案はこれに限定されるものではない。例えば、家庭用永久磁石磁気治療器が多角形状を有し、家庭用永久磁石磁気治療器用磁気遮蔽カバーにおける凹部が多角形状を有するものであってもよい。
【０１４１】
（１２）上記実施形態１及び２においては、凹部の内径が６．１ｍｍであり、上記実施形態３においては、凹部の内径が４．１ｍｍであるが、本考案はこれに限定されるものではない。凹部の内径は、家庭用永久磁石磁気治療器用磁気遮蔽カバーを被せる対象となる家庭用永久磁石磁気治療器の直径より少なくとも２０μｍ以上大きく、かつ、家庭用永久磁石磁気治療器の直径に貼り付け部材の厚さ寸法の２倍を加えた寸法よりも小さければよい。
【０１４２】
（１３）上記各実施形態においては、家庭用永久磁石磁気治療器用磁気遮蔽カバーの外表面には鏡面仕上げ加工が施されているが、本考案はこれに限定されるものではない。例えば、家庭用永久磁石磁気治療器用磁気遮蔽カバーの表面全体に鏡面仕上げ加工が施されていてもよい。また、家庭用永久磁石磁気治療器用磁気遮蔽カバーの外表面に鏡面仕上げ加工が施されていなくてもよい。
【０１４３】
（１４）上記各実施形態においては、家庭用永久磁石磁気治療器用磁気遮蔽カバーの外表面における角部には面取り加工が施されているが、本考案はこれに限定されるものではない。例えば、家庭用永久磁石磁気治療器用磁気遮蔽カバーの外表面における角部には、丸め加工のみ又は面取り加工と丸め加工との両方が施されていてもよい。また、家庭用永久磁石磁気治療器用磁気遮蔽カバーの外表面における角部には、面取り加工が施されていなくてもよい。
【０１４４】
（１５）上記実施形態２においては、磁気遮蔽カバー１０２は、天板１１２外面の中心部が盛り上がった形状を有するが、本考案はこれに限定されるものではない。図６は、変形例１に係る家庭用永久磁石磁気治療器用磁気遮蔽カバー１０８（以下、磁気遮蔽カバー１０８と記載する。）の断面図である。本考案の家庭用永久磁石磁気治療器用磁気遮蔽カバーは、変形例１に係る磁気遮蔽カバー１０８のように、天板内面の中心部が盛り上がった形状を有していてもよい。
【０１４５】
（１６）上記実施形態４においては、磁気遮蔽カバー１０６は、天板１１４外面の中心部がへこんだ形状を有するが、本考案はこれに限定されるものではない。図７は、変形例２に係る家庭用永久磁石磁気治療器用磁気遮蔽カバー１０９（以下、磁気遮蔽カバー１０９と記載する。）の断面図である。本考案の家庭用永久磁石磁気治療器用磁気遮蔽カバーは、変形例２に係る磁気遮蔽カバー１０９のように、天板内面の中心部がへこんだ形状を有していてもよい。
【０１４６】
（１７）上記各実施形態における家庭用永久磁石磁気治療器の形状、寸法及び構成は一例であり、本考案の使用の対象となる家庭用永久磁石磁気治療器はこれに限定されるものではない。
【０１４７】
（１８）上記各実施形態における貼り付け部材（絆創膏３００）の形状、寸法及び構成は一例であり、本考案の使用の対象となる家庭用永久磁石磁気治療器を貼り付ける貼り付け部材はこれに限定されるものではない。
【符号の説明】
【０１４８】
１００，１０２，１０４，１０６，１０８，１０９…家庭用永久磁石磁気治療器用磁気遮蔽カバー、１１０，１１２，１１４，１１８，１１９…天板、１２０，１２２，１２４，１２８，１２９…凹部、１３０，１３２，１３４，１３６，１３８，１３９…軟磁性金属材料部、１４０…保護めっき層、１５０…凹部の縁、１５２…側板外面における使用者の皮膚表面側の縁、１６０，１６２，１６４，１６８，１６９…側板、２００，２０２，８１０，９１０…家庭用永久磁石磁気治療器、２１０，８２０…永久磁石部、２２０…保護ケース部、２３０…第１ケース部材、２４０…第２ケース部材、２５０…永久磁石部収納部、３００，８４０，９２０…絆創膏、８００，９００…貼り付け部材付き家庭用永久磁石磁気治療器、８２２…永久磁石、８２４…シリコンゴム、８３０…磁性コーティング層、９３０…磁気シールド材、Ｈ…使用者の皮膚
【図１】
0003158401.tif 000003
【図２】
0003158401.tif 000004
【図３】
0003158401.tif 000005
【図４】
0003158401.tif 000006
【図５】
0003158401.tif 000007
【図６】
0003158401.tif 000008
【図７】
0003158401.tif 000009
【図８】
0003158401.tif 000010
【図９】
0003158401.tif 000011
【手続補正書】
【提出日】平成22年1月22日(2010.1.22)
【手続補正１】
【補正対象書類名】実用新案登録請求の範囲
【補正対象項目名】請求項９
【補正方法】変更
【補正の内容】
【請求項９】
請求項１〜８のいずれかに記載の家庭用永久磁石磁気治療器用磁気遮蔽カバーにおいて、
前記家庭用永久磁石磁気治療器は、円盤形状を有し、
前記家庭用永久磁石磁気治療器用磁気遮蔽カバーにおける前記凹部は、略円柱形状を有することを特徴とする家庭用永久磁石磁気治療器用磁気遮蔽カバー。